(57)【特許請求の範囲】
【請求項１】
液が収納された一の容器から他の密閉された容器に対して、他の容器の上側から挿入された配管により給液可能とし、
他の容器の上部に接続された負圧発生手段を動作させるとともにこの負圧発生手段に接続された負圧漏れを防ぐ弁を開くことで他の容器内を負圧にすることによって、一の容器から配管を経て他の容器に液を移し、
他の容器内の液面が一定の高さまで上昇したとき、上記負圧発生手段を停止するとともに上記負圧漏れを防ぐ弁を閉じて、他の容器よりポンプにより給液対象部へ液を給送する
ことを特徴とする給液方法。
【請求項２】
液が収納された一の容器と、
この一の容器から供給された液を収納する他の密閉された容器と、
この他の容器に対して上側から挿入されて一の容器と他の容器とを連通する配管と、
上記他の容器の上部より空気を排出する負圧発生手段と、
この負圧発生手段に接続された負圧漏れを防ぐ弁と、
上記他の容器の下部より給液対象部へ液を給送するポンプと
を具備したことを特徴とする給液装置。
【請求項３】
液は、フラックスであり、
給液対象部は、フラックスを被はんだ付け物に塗付するフラックス塗布部である
ことを特徴とする請求項２記載の給液装置。
【請求項４】
他の容器内の液面高さを監視する液面センサ
を具備したことを特徴とする請求項２または３記載の給液装置。
【発明の詳細な説明】
【０００１】
【発明の属する技術分野】
本発明は、容器内の液を給液対象部へ供給する給液方法および給液装置に関する。
【０００２】
【従来の技術】
液としてのフラックスを被はんだ付け物としての部品実装基板に塗布するフラックス塗布装置では、図５に示されるように、フラックスＦを収納したフラックス缶１を加圧容器２の内部に収容して密閉し、この加圧容器２内を加圧ライン３から供給された空気圧にて加圧することによって、フラックスＦをフラックス給送管路４に押出し、このフラックス給送管路４中に設けられたニードル弁５を経て、実際にフラックスの消費されるフラックス塗布部６に給送し、このフラックス塗布部６にて発泡式、浸漬式または噴霧式により部品実装基板にフラックスを塗布している。
【０００３】
【発明が解決しようとする課題】
この従来の装置では、フラックス給送を加圧容器２内の加圧によって行っているために、フラックス缶１の交換時には、フラックス缶１を収めた加圧容器２内の圧力を下げる必要がある。
【０００４】
このため、フラックス缶１の交換時はフラックスＦの給送が止まり、フラックスを塗布できない問題がある。
【０００５】
また、フラックス給送管路４のエア抜きに人手が必要であり、その作業中はフラックス塗布ができない問題がある。
【０００６】
本発明は、このような点に鑑みなされたもので、液が収納された容器を交換する時もポンプによる給液を停止することなく継続できるとともに、配管のエア抜きに人手と時間を要しない給液方法および給液装置を提供することを目的とするものである。
【０００７】
【課題を解決するための手段】
請求項１に記載された発明は、液が収納された一の容器から他の密閉された容器に対して、他の容器の上側から挿入された配管により給液可能とし、他の容器の上部に接続された負圧発生手段を動作させるとともにこの負圧発生手段に接続された負圧漏れを防ぐ弁を開くことで他の容器内を負圧にすることによって、一の容器から配管を経て他の容器に液を移し、他の容器内の液面が一定の高さまで上昇したとき、上記負圧発生手段を停止するとともに上記負圧漏れを防ぐ弁を閉じて、他の容器よりポンプにより給液対象部へ液を給送する給液方法である。
【０００８】
請求項２に記載された発明は、液が収納された一の容器と、この一の容器から供給された液を収納する他の密閉された容器と、この他の容器に対して上側から挿入されて一の容器と他の容器とを連通する配管と、上記他の容器の上部より空気を排出する負圧発生手段と、この負圧発生手段に接続された負圧漏れを防ぐ弁と、上記他の容器の下部より給液対象部へ液を給送するポンプとを具備した給液装置である。
【０００９】
請求項３に記載された発明は、請求項２記載の給液装置における液が、フラックスであり、給液対象部は、フラックスを被はんだ付け物に塗付するフラックス塗布部である、とした給液装置である。
【００１０】
請求項４に記載された発明は、請求項２または３記載の給液装置において、他の容器内の液面高さを監視する液面センサを具備した給液装置である。
【００１１】
【発明の実施の形態】
以下、本発明を、図１乃至図４に示された実施の一形態を参照しながら説明する。
【００１２】
図１は給液装置を示し、液としてのフラックスを収納する一の容器としてのフラックス缶11にストレーナ12が差込まれ、このストレーナ12に配管としての給液管13の一端が接続され、この給液管13の他端は、他の密閉された容器としてのサブタンク14の上部よりその底部近傍まで挿入され、このサブタンク14の内部には、サブタンク14内の液面高さを監視する液面センサ15が設置されている。
【００１３】
サブタンク14の上部には、空気を排出する負圧発生手段としての負圧発生ポンプ16の負圧ポート16n が管17を介して接続され、この負圧発生ポンプ16の正圧ポート16p には、管18を介して負圧発生ポンプ16の負圧漏れを防ぐ弁19が接続されている。
【００１４】
サブタンク14の下部は、管20により、液給送用のポンプとしての定量吐出ポンプ21の吸入側に接続され、定量吐出ポンプ21の吐出側は、給液対象部としてのフラックス塗布部22に接続され、この定量吐出ポンプ21により、サブタンク14内のフラックスがフラックス塗布部22ヘ給送され、このフラックス塗布部22にて、被はんだ付け物としての部品実装基板にフラックスが塗付される。
【００１５】
フラックス塗布部22は、発泡式フラクサ、浸漬式フラクサまたはスプレー式フラクサなどであり、スプレー式フラクサの場合は、定量吐出ポンプ21の吐出圧により、フラックスをスプレーノズルより部品実装基板に向けて噴霧する。
【００１６】
次に、この実施形態の作用を説明する。
【００１７】
通常のフラックス塗布動作中は、図２に示されるように負圧発生ポンプ16の正圧ポート16p に接続された負圧漏れを防ぐ弁19が閉じているため、サブタンク14内は負圧発生ポンプ16が停止した状態でも負圧に保たれている。
【００１８】
また、ストレーナ12からサブタンク14までの給液管13およびサブタンク14から定量吐出ポンプ21までの管20に液としてのフラックスＦが満たされているため、定量吐出ポンプ21がサブタンク14からフラックスＦを吸引し、フラックス塗布部22に給送するのと同量のフラックスＦがストレーナ12からサブタンク14に吸引され、サブタンク14内のフラックスＦ量は一定に保たれる。なお、フラックス缶11は、上部が大気に開放されているから、その缶内のフラックスＦ面には大気圧が常時作用している。
【００１９】
フラックスＦの塗布を続けるうち、フラックス缶11内のフラックスＦが減少し、ストレーナ12からサブタンク14へフラックスＦが吸引されなくなると、定量吐出ポンプ21がフラックスＦを給送するにしたがって、サブタンク14内のフラックスＦ面は低下する。
【００２０】
図３に示されるように、サブタンク14のフラックスＦ面を監視する液面センサ15がフラックスＦを検知できなくなるまでフラックスＦ面が下がると、作業者にフラックス缶11の交換を要求する警報が出される。
【００２１】
これにより、作業者は、フラックス缶11をフラックスＦの満杯のものと交換する。その際、空になったフラックス缶11からストレーナ12を引抜き、十分にフラックスＦの入った新しいフラックス缶11にストレーナ12を差込む。
【００２２】
この間も、定量吐出ポンプ21の吸引側圧力変化に対する吐出容量の変化は無視できるほど小さいので、サブタンク14内にあるフラックスＦは通常のフラックス塗布動作中と同じように定量吐出ポンプ21によってフラックス塗布部22に給送され、フラックス塗布に影響を与えない。
【００２３】
図４に示されるように、フラックス缶11を交換した後は、ストレーナ12がフラックスＦを吸引できる状態で負圧発生ポンプ16を動作させると、この負圧発生ポンプ16の空気吸引作用によってサブタンク14内が負圧となり、フラックス缶11内よりストレーナ12および給液管13を経てサブタンク14内ヘフラックスＦが吸引される。
【００２４】
これと同時に、ストレーナ12からサブタンク14までの給液管13内のエア抜きが完了する。この負圧発生ポンプ16によるフラックス吸引は、サブタンク14内のフラックスＦ面を監視する液面センサ15がフラックスＦを検知するまで行い、その間は、負圧発生ポンプ16の負圧漏れを防ぐ弁19が自動的に開く。
【００２５】
サブタンク14内にフラックスＦが吸引されるにしたがい、サブタンク14のフラックスＦ面は上昇し、サブタンク14のフラックスＦ面を監視する液面センサ15がフラックスＦを検知すると、負圧発生ポンプ16はその動作を停止し、負圧発生ポンプ16の負圧漏れを防ぐ弁19が閉じ、サブタンク14内は負圧発生ポンプ16が停止した状態でも負圧に保たれる。この状態は図２に示された状態と同一である。
【００２６】
サブタンク14のフラックスＦ面を監視する液面センサ15がフラックスＦを検知し、負圧発生ポンプ16がその動作を停止し、同時に負圧漏れを防ぐ弁19が閉まるまでには、負圧発生ポンプ16によるサブタンク14内の空気の吸引容量に対するストレーナ12からのフラックス吸引容量の追従の遅れによるフラックスＦ面のオーバシュートを防ぐため、負圧発生ポンプ16の負圧漏れにより、サブタンク14内の負圧がフラックス缶11からフラックスＦを吸引するのにちょうど必要なだけの負圧に下がるだけの時間遅れを持たせるようにする。
【００２７】
以上説明したように、本装置においては、吸引側圧力の変化に対する吐出容量変化が無視できるほど小さい定量吐出ポンプ21をフラックス塗布部22へのフラックス給送に用い、フラックス缶11からサブタンク14へのフラックスＦの吸引を負圧発生ポンプ16によりサブタンク14内を負圧にして行うことにより、フラックス缶11の交換時にもフラックス塗布を停止することなくフラックス缶11を交換できる。
【００２８】
また、負圧発生ポンプ16がサブタンク14内の上部の空気を吸引するため、フラックス缶11の交換時にストレーナ12からサブタンク14までの給液管13に入った空気は、負圧発生ポンプ16による吸引と同時に排出され、サブタンク14から定量吐出ポンプ21への管20内にも原則として空気が入らないので、人手によるエア抜き作業は不必要となる利点がある。
【００２９】
【発明の効果】
請求項１記載の発明によれば、一の容器を交換する時も、他の容器からポンプによる給液を継続できるとともに、負圧発生手段に接続された負圧漏れを防ぐ弁を開いて、負圧発生手段により他の容器内を負圧にすることで一の容器から配管を経て他の容器に液を移すから、配管のエア抜きに人手と時間を要しないため、給液された液を用いる作業を中断する時間が短くて済み、作業性を向上できる給液方法を提供できる。一方、ポンプにより給液対象部へ液を給送するときは、負圧発生手段に接続された負圧漏れを防ぐ弁が閉じているため、他の容器内は負圧発生手段が停止した状態でも負圧に保たれ、また、一の容器から他の容器までの配管および他の容器からポンプまでの間に液が満たされているため、ポンプが他の容器から液を吸引したのと同量の液が一の容器から配管を経て他の容器に吸引されることから、他の容器内の液量を一定に保つことができる給液方法を提供できる。
【００３０】
請求項２記載の発明によれば、一の容器を交換する時も、他の容器からポンプによる給液を継続できるとともに、負圧発生手段に接続された負圧漏れを防ぐ弁を開いて、負圧発生手段により他の容器内を負圧にすることで一の容器から配管を経て他の容器に液を移すから、配管のエア抜きに人手と時間を要しないため、給液された液を用いる作業を中断する時間が短くて済み、作業性を向上できる給液装置を提供できる。一方、ポンプにより給液対象部へ液を給送するときは、負圧発生手段に接続された負圧漏れを防ぐ弁が閉じているため、他の容器内は負圧発生手段が停止した状態でも負圧に保たれ、また、一の容器から他の容器までの配管および他の容器からポンプまでの間に液が満たされているため、ポンプが他の容器から液を吸引したのと同量の液が一の容器から配管を経て他の容器に吸引されることから、他の容器内の液量を一定に保つことができる給液装置を提供できる。
【００３１】
請求項３記載の発明によれば、フラックスが収納された一の容器を交換する時も、他の容器からポンプによるフラックス塗布部へのフラックス供給を継続できるとともに、負圧発生手段により他の容器内を負圧にすることで一の容器から配管を経て他の容器にフラックスを移すから、配管のエア抜きに人手と時間を要しないため、被はんだ付け物にフラックスを塗付する作業を中断する時間が短くて済み、生産性を向上できる。
【００３２】
請求項４記載の発明によれば、液面センサにより他の容器内の液面を管理するから、一の容器を適切なタイミングで交換できるとともに、負圧発生手段の動作停止を自動化できる。
【図面の簡単な説明】
【図１】  本発明に係る給液装置の実施の一形態を示す配管図である。
【図２】  同上給液装置における通常の給液動作状態を示す配管図である。
【図３】  同上給液装置における液面センサが液面を検知できなくなるまで液面が下がった状態を示す配管図である。
【図４】  同上給液装置における一の容器を交換した直後に負圧発生手段を動作させた状態を示す配管図である。
【図５】  従来の給液装置を示す配管図である。
【符号の説明】
11    一の容器としてのフラックス缶
13    配管としての給液管
14    他の容器としてのサブタンク
15    液面センサ
16    負圧発生手段としての負圧発生ポンプ
21    ポンプとしての定量吐出ポンプ
22    給液対象部としてのフラックス塗布部
Ｆ    液としてのフラックス
【図１】
0004406105.tif 000002
【図２】
0004406105.tif 000003
【図３】
0004406105.tif 000004
【図４】
0004406105.tif 000005
【図５】
0004406105.tif 000006